(57)【特許請求の範囲】
【請求項１】
遊技機島を構成する遊技機の間に設置する遊技媒体貸機であって、
前記遊技機島に配置した遊技媒体貸機用の取付枠と、該取付枠に対して着脱可能な貸機本体と、該貸機本体に電源を供給可能な電源ユニットと、前記取付枠に備えられ、前記電源ユニットおよび前記貸機本体の電気的な接続を中継する中継基板ユニットと、前記遊技機から排出された遊技媒体を計数する計数機ユニットと、を備え、
前記取付枠に、前記貸機本体を取り付ける本体取付部と、前記電源ユニットまたは前記計数機ユニットを選択して取付可能なユニット取付部と、を形成し、
前記ユニット取付部に前記電源ユニットまたは前記計数機ユニットから選択して前記計数機ユニットを取り付け、
前記本体取付部に前記貸機本体を取り付け、
前記貸機本体の取り付け状態を、前記中継基板ユニットにより保持するとともに、
前記中継基板ユニットは、前記電源ユニットと接続するコネクタ及び前記計数機ユニットと接続するコネクタを備え、前記電源ユニット及び前記計数ユニットを取り付ける場合に、前記取付枠の背面側に取り付けた前記電源ユニットから、前記コネクタを通じて前記計数機ユニットへ電源を供給可能としたことを特徴とする遊技媒体貸機。
【発明の詳細な説明】
【技術分野】
【０００１】
本発明は、遊技機島を構成する遊技台の間に設置する遊技媒体貸機に関するものである。
【背景技術】
【０００２】
従来、パチンコ台などの遊技台と遊技台との間に形成される隙間部には、遊技媒体貸機が設置されるようになっており、このように遊技台の間に遊技媒体貸機を設置することにより、客が席を離れて遊技媒体を借りに行く手間を省くことができるようになっている。なお、本明細書では、遊技媒体貸機と称した場合に、貸機本体と周辺機器を含むものとする。
【０００３】
そして、このような遊技媒体貸機には、通常、必要な電源部を内蔵していた（特許文献１の図４）。また、電源部を貸機本体から分離し、共通の取付枠に設けるようにしたものがある（特許文献２の図４および図６）。さらに、電源部を貸機本体の背面側に設けたものがある（特許文献２の図９）。
【０００４】
一方、昨今は、遊技店における人手不足や省力化の要請、あるいは遊技形態の多様化から、席に着いたまま貸玉を受けるばかりではなく、遊技で獲得した賞球、すなわち出玉を席に着いたままカウントすることができる各台計数機の需要が高まっている。
【０００５】
この各台計数機は、遊技台から排出された出玉を、遊技機島内に配置された通称ドブと呼ばれる回収樋に流す際にカウントするものである（特許文献３）。
【先行技術文献】
【特許文献】
【０００６】
【特許文献１】特開平８−１０４３３号公報
【特許文献２】特開平９−３１３７２２号公報
【特許文献３】特開平９−３１３７２９号公報
【発明の概要】
【発明が解決しようとする課題】
【０００７】
しかしながら、各台計数機を利用するには、予め各台計数機を配置して遊技機島を構成する必要があった。また、既存の遊技機島に各台計数機を配置するには、遊技機島の全面的な改装が必要であった。さらに、各台計数機へも電源を供給する必要があり、電源の確保および配置に苦慮しているのが現状であった。
【０００８】
本発明は、上記に鑑みなされたものであり、手軽に各台計数機を利用可能にすることができる遊技媒体貸機を提供することを目的とする。
【課題を解決するための手段】
【０００９】
請求項１に係る発明は、遊技機島を構成する遊技機の間に設置する遊技媒体貸機であって、前記遊技機島に配置した遊技媒体貸機用の取付枠と、該取付枠に対して着脱可能な貸機本体と、該貸機本体に電源を供給可能な電源ユニットと、前記取付枠に備えられ、前記電源ユニットおよび前記貸機本体の電気的な接続を中継する中継基板ユニットと、前記遊技機から排出された遊技媒体を計数する計数機ユニットと、を備え、前記取付枠に、前記貸機本体を取り付ける本体取付部と、前記電源ユニットまたは前記計数機ユニットを選択して取付可能なユニット取付部と、を形成し、前記ユニット取付部に前記電源ユニットまたは前記計数機ユニットから選択して前記計数機ユニットを取り付け、前記本体取付部に前記貸機本体を取り付け、前記貸機本体の取り付け状態を、前記中継基板ユニットにより保持するとともに、前記中継基板ユニットは、前記電源ユニットと接続するコネクタ及び前記計数機ユニットと接続するコネクタを備え、前記電源ユニット及び前記計数ユニットを取り付ける場合に、前記取付枠の背面側に取り付けた前記電源ユニットから、前記コネクタを通じて前記計数機ユニットへ電源を供給可能としたことを特徴とする。
【００１０】
なお、請求項１に記載の遊技媒体貸機の構成に加え、前記電源ユニットおよび前記計数機ユニットの上縁にレール部を設け、かつ前記貸機本体の下縁に前記レール部に対応するレール受部を設け、前記取付枠に取り付けた前記電源ユニットまたは前記計数機ユニットの上方領域に、前記取付枠の前面側から前記貸機本体を着脱可能に構成することが好ましい。
【発明の効果】
【００１１】
本発明の遊技媒体貸機によれば、貸機本体の下方のスペースに、電源ユニットまたは計数機ユニットのいずれか一方を取り付けることができる。したがって、当初は電源ユニットを取り付けて計数機能のない遊技媒体貸機を構成しておき、後日、電源ユニットを計数機ユニットに交換すれば、計数機能を容易に追加することが可能である。そして、従来の遊技媒体貸機を配置した遊技機島において、各台計数機の機能を追加する場合には、遊技媒体貸機の交換が必要であったが、本発明の遊技媒体貸機によれば、貸機本体を交換する必要がないため、遊技機島の大幅な改修を行なうことなく各台計数機の機能を追加することが可能になる。
【図面の簡単な説明】
【００１２】
【図１】本発明に係る遊技媒体貸機の概略を説明するための正面図である。
【図２】遊技媒体貸機を遊技機島に設置するための取付枠の斜視図である。
【図３】取付枠を示し、（ａ）は平面図、（ｂ）は左側面図、（ｃ）は正面図、（ｄ）は右側面図、（ｅ）は底面図である。
【図４】玉貸機本体を示し、（ａ）は前方から見た斜視図、（ｂ）は後方から見た斜視図である。
【図５】遊技媒体貸機の概略を示し、（ａ）は側板を外した状態の玉貸機本体の斜視図、（ｂ）は電源ユニットの斜視図、（ｃ）は計数機ユニットおよび玉箱の斜視図である。
【図６】取付枠に対して、玉貸機本体および電源ユニットまたは計数機ユニットを取り付ける方法を説明する図である。
【図７】取付枠に対して、玉貸機本体、電源ユニット、計数機ユニットを取り付ける方法を説明する斜視図である。
【図８】取付枠に、玉貸機本体、電源ユニット、計数機ユニットを取り付けた状態の斜視図である。
【図９】計数機ユニットを取り付けた取付枠に、電源ユニットおよび中継基板ユニットを取り付ける方法を説明する斜視図である。
【図１０】中継基板ユニットの斜視図である。
【図１１】中継基板ユニットを示し、（ａ）は平面図、（ｂ）は背面図、（ｃ）は左側面図、（ｄ）は正面図である。
【図１２】玉貸機本体を装着した状態における中継基板ユニットを示し、（ａ）は左側面図、（ｂ）は正面図である。
【図１３】玉貸機本体を着脱可能な状態における中継基板ユニットを示し、（ａ）は左側面図、（ｂ）は正面図である。
【図１４】玉貸機本体を取り外した状態における中継基板ユニットを示し、（ａ）は左側面図、（ｂ）は正面図である。
【図１５】他の実施例による取付枠の斜視図である。
【図１６】他の実施例による取付枠を示し、（ａ）は平面図、（ｂ）は左側面図、（ｃ）は正面図、（ｄ）は右側面図、（ｅ）は底面図である。
【図１７】他の実施例による取付枠へ玉貸機本体および電源ユニットまたは計数機ユニットを取り付ける方法を説明する図である。
【発明を実施するための形態】
【００１３】
本発明の一実施例を、図面を参照して説明する。図１は、本発明に係る遊技媒体貸機の一例である玉貸機の概略を説明するための正面図であり、遊技台に隣接して配置される。図２は、玉貸機を遊技機島に設置するための取付枠の斜視図である。また、図３は、取付枠の詳細を示し、（ａ）は平面図、（ｂ）は左側面図、（ｃ）は正面図、（ｄ）は右側面図、（ｅ）は底面図、をそれぞれ示している。さらに、図４は、玉貸機本体を示し、（ａ）は前方から見た斜視図、（ｂ）は後方から見た斜視図、をそれぞれ示している。
【００１４】
先ず、玉貸機本体２００を取り付けるための取付枠３００について説明する。この取付枠３００は、図２および図３に示すように、断面図の形状が、略コ字状になるように形成された部材であって、鉛直方向に延びる支柱部３１０と、この支柱部３１０の上端から前方に延びる上止着部３２０と、支柱部３１０の下端から前方に延びる下止着部３３０と、を備えている。
【００１５】
支柱部３１０は、背板３１１の両側縁に、前方へ向けて延出し、互いに向き合う一対の側片３１２、３１２が屈曲形成してある。そして、この一対の側片３１２、３１２の間に、後述する玉貸機本体２００が位置することになる。また、支柱部３１０の背板３１１には、後述する中継基板ユニット８００のコネクタ８２１を通したり、固定用のガイドピン８７０を挿通したりする種々の開口部３４１ａ、３４１ｂ、３４１ｃ、３４１…、あるいはねじ孔３４２等が、適宜に設けてある。
【００１６】
一方、上止着部３２０には、この取付枠３００を遊技機島に固定するための取付片３４３や、玉の補給路を確保するための開口部３４１ｄ等が、適宜に設けてある。さらに、下止着部３３０にも、取付孔３４４や開口部３４１ｅ等が、適宜に設けてある。
【００１７】
また、遊技者に遊技媒体であるパチンコ玉を貸し出すための玉貸機本体２００は、どのようなタイプのものであってもよい。すなわち、紙幣または硬貨を投入する現金玉貸機や、カードあるいはコインなどのプリペイド媒体を必要とするＣＲユニット玉貸機や、あるいはＣＲユニットを搭載しているが、非現金媒体（カード、コインなどのプリペイド媒体現金）を必要とすることなく、直接現金で玉貸しが可能なシステムに用いるものであってもよい。
【００１８】
ここで、図１以降に示す実施例における玉貸機本体２００は、上記直接現金で玉貸しが可能なシステムに対応したものである。次に、この玉貸機本体２００を簡単に説明する。先ず、状態表示ランプ２１１は、異なる色彩で運用状態を表示する。残高・貯玉度数表示部２１２は、紙幣挿入口２１３へ紙幣を挿入したときに、預り金残高を表示する。切替スイッチ２１４は、預り金残高と貯玉度数の表示を切り替える。持玉表示部２１５は、持玉（計数玉）を表示する。払出スイッチ２１６は、最低払出玉数／度数以上持っているときに点灯し、押すと持玉→貯玉の順で玉を払い出す。
【００１９】
テンキー２１７は、暗証番号を入力するときに使用する。返却ランプ２１８は、コイン／会員カード返却時に点滅し、取り忘れがないように注意を喚起する。また、ＩＣタグタッチ部２１９は、メンテナンス時に従業員がテンキー２１７と併用して使用する。
【００２０】
一方、玉貸機本体２００の内部は、例えば、図５（ａ）に示すように、種々の部品が収設してある。すなわち、図５（ａ）は、玉貸機本体２００の側板２２１を外して内部を視認可能にした前方から見た斜視図である。なお、側板２２１の着脱は、例えば、図４に示すように、係止爪２２２を、側板２２１に設けた切欠溝の側縁に係止させて行なっている。このようにして、側板２２１を係止爪２２２によって着脱自在に構成すると、ねじ止めなどに比べて、着脱に要する手間を大幅に削減することができ、側板２２１の着脱がきわめて容易になる。したがって、メンテナンス作業や組立作業時に便利であり、作業の効率化が図れる。
【００２１】
紙幣識別機２３１では、紙幣挿入口２１３から挿入された紙幣の真贋を判別し、正規の紙幣を図示していない紙幣搬送装置へ受け渡す。玉切りユニット２３２は、図示していない補給樋から玉通路を介して流入する玉をカウントして、必要数量を貸出しノズル２３３から遊技台１００の上皿１１０へ供給する。コアモジュール２３４は、セキュリティ基板であり、制御基板２３５は、玉貸機全体の制御を行なう。コイン・カードユニット２３６は、コインが最大９枚までストック可能で、情報の読み込みや書き込みを行なう。また、会員カードへ情報の読み込みや書き込みを行なう。なお、図中、符号２３７は、コイン挿入口、２３８はコイン返却口、２３９は会員カード挿入口である。
【００２２】
玉貸機本体２００の下方には、通常、電源ユニット４００を配置するが、図示の実施例においては、電源ユニット４００と後述する計数機ユニット５００とを選択して配置するように構成している。例えば、図６に示す実施例では、電源ユニット４００を選択して、取付枠３００に取り付けようとしている。なお、電源ユニット４００と計数機ユニット５００とは、外形および寸法を同一に形成してある。
【００２３】
そこで、先ず、電源ユニット４００を選択して取付枠３００に配置する場合を説明する。すなわち、各台計数機を持たない場合を説明する。電源ユニット４００は、略矩形のケース４１０に収納されており、背面側から図示していないケーブル、例えばＡＣ接続ケーブル、電源スイッチケーブル、ＤＣ出力ケーブルが延出している。また、ケース４１０の上縁には、例えば図５（ｂ）に示すように、一対のレール片４２１、４２１を当該ケース４１０の長手方向に沿って起立させてレール部４２０を設けている。さらに、ケース４１０の前面には、装飾用の化粧部材４３０が取り付けてある。
【００２４】
この電源ユニット４００を、取付枠３００の下止着部３３０に前方から挿入して、取付孔３４４等を利用してねじ等で固定する。そして、この電源ユニット４００の上方領域において、玉貸機本体２００の下縁に形成したレール受部２５０を、電源ユニット４００のレール部４２０に嵌合させて取付枠３００の奥へ向けてスライドさせるとともに、取付枠３００の上止着部３２０に玉貸機本体２００の上縁部分を挿入して、取付孔３４４等を利用して固定する。
【００２５】
このようにして、玉貸機本体２００と電源ユニット４００を取付枠３００に固定すれば、玉貸機本体２００と電源ユニット４００とを一体化して設置することができ、統一された意匠とすることもできる。
【００２６】
一方、計数機ユニット５００を選択して、獲得した出玉をその場で計数可能な各台計数機を形成することも、きわめて容易にできる。すなわち、図７に示すように、計数機ユニット５００を選択した場合には、前記電源ユニット４００と同一形状、同一サイズに形成した計数機ユニット５００を、取付枠３００の下止着部３３０に、前方から挿入して、取付孔３４４等を利用して固定する（図７参照）。次に、この計数機ユニット５００の上に、玉貸機本体２００の下面を載せるとともに、取付枠３００の上止着部３２０に玉貸機本体２００の上縁部分を挿入して、取付孔３４４等を利用して、玉貸機本体２００を取付枠３００に固定する（図８参照）。すなわち、前記電源ユニット４００の場合と同様に、計数機ユニット５００の上方領域において、玉貸機本体２００の下縁に形成したレール受部２５０を、計数機ユニット５００のレール部５２０に嵌合させて取付枠３００の奥へ向けてスライドさせるとともに、取付枠３００の上止着部３２０に玉貸機本体２００の上縁部分を挿入して、取付孔３４４等を利用して固定する。なお、計数機ユニット５００もケース５１０に収納され、一対のレール片５２１、５２１でレール部５２０を構成している。
【００２７】
また、後述するが、計数機ユニット５００には、玉通路を形成するための玉樋部材６００の一端を接続するとともに、玉樋部材６００の他端を遊技台１００の前面側に配置した遊技媒体受皿である玉箱７００の側面に接続する。
【００２８】
このようにして、玉貸機本体２００と計数機ユニット５００とを、取付枠３００に一体化して配置すると、計数機能を玉貸機の下方に付加して各台計数機を形成することができ、遊技客の利便性が著しく向上する。また、遊技店にとっても、遊技者が獲得した出玉を、店内の一隅に設けた景品カウンターや各遊技機島に設置した計数機へ運ぶ手間がなくなり、きわめて有効である。また、遊技機島内を循環する玉が不足したり、偏ることがなくなるので、メリットが大きい。
【００２９】
そして、取付枠３００には、玉貸機本体２００の下方のスペースに、電源ユニット４００または計数機ユニット５００のいずれか一方を取り付けることができる。したがって、当初は電源ユニット４００を取り付けて計数機能のない玉貸機を構成しておき、後日、電源ユニット４００を計数機ユニット５００に交換すれば、計数機能を容易に追加することが可能である。このとき、電源ユニット４００は、取付枠３００の背面側に配置している。このため、従来の玉貸機を配置した遊技機島において、各台計数機の機能を追加する場合には、玉貸機の交換が必要であったが、この実施例によれば、玉貸機本体２００を交換する必要がない。したがって、この実施例による玉貸機本体２００を配置した遊技機島に、各台計数機の機能を追加したとしても、遊技機島を大幅に改修する必要がない。
【００３０】
ところで、従来、玉貸機の電源ユニット４００が配置されていた位置に、計数機ユニット５００を配置した場合には、電源の確保に支障が出る。そこで、図示の実施例では、電源ユニット４００を、取付枠３００の支柱部３１０の背面側に取り付けて、玉貸機本体２００および各台計数機に電源を供給している。
【００３１】
そして、この実施例では、例えば、図９の分解した斜視図に示すように、取付枠３００の支柱部３１０の背面に、中継基板ユニット８００を取り付けて、この中継基板ユニット８００を介して種々の電気的な接続、および玉貸機本体２００の取付枠３００に対する着脱を行なうように構成している。
【００３２】
この中継基板ユニット８００は、図１０および図１１に示すような構成を備え、玉貸機本体２００および電源ユニット４００と、遊技店の諸設備との電気的な接続を中継するとともに、玉貸機本体２００の取付枠３００に対する取り付け状態を保持する。
【００３３】
また、上記中継基板ユニット８００は、縦長で浅い箱状のケース体８１０の中に、電気的な中継を行なう中継基板８２０と、後述するロック機構８３０とを備えている。
【００３４】
中継基板８２０は、前面側（図１０では右側）に、すなわち玉貸機本体２００側に、唯一のコネクタ８２１を備えている。一方、背面側（例えば、図１１（ｂ）参照）には、電源スイッチ接続コネクタ、ＤＣ電源接続コネクタ８４２、シリアルインターフェイス接続コネクタ８４３、ＬＡＮ接続コネクタ８４４、計数機接続コネクタ８４５、紙幣搬送装置接続コネクタ８４６、ホールコンピュータ接続コネクタ８４７、などが設けてある。
【００３５】
このように、中継基板８２０を介して電気的な接続を行なうと、玉貸機本体２００の保守点検作業を行なう場合や、玉貸機本体２００を交換するために玉貸機本体２００を着脱する際、それぞれの配線を外し、接続する手間を大幅に削減することができる。また、誤配線を防止することができるので、信頼性も向上する。
【００３６】
ところで、玉貸機本体２００を着脱するときに、中継基板８２０が通電状態にあると、すなわち中継基板８２０に給電されていると、この中継基板８２０が破損したり、台番号などのデータが消失する事故が発生する。そこで、この実施例では、中継基板８２０が通電状態にあるときは、玉貸機本体２００を着脱できないようにするロック機構８３０が中継基板ユニット８００に設けてある。
【００３７】
このロック機構８３０は、玉貸機本体２００を取付枠３００に装着して取り外すことができず、かつ中継基板８２０へ給電可能にした第１状態と、玉貸機本体２００を着脱することができて、かつ中継基板８２０への給電を停止した第２状態と、中継基板８２０への給電が停止され、かつ玉貸機本体２００を取り外した第３状態と、に変位可能に構成してある。
【００３８】
具体的に説明すると、ロック機構８３０には、玉貸機本体２００の背面側の所定位置に当接して傾動する連動カム８３１が設けてある。また、遊技店員あるいは作業員が操作するための操作手段８５０が設けてあり、この操作手段８５０は、中継基板ユニット８００のケース体８１０に沿って、鉛直方向に摺動可能に設けた動作杆８５１によって形成され、この動作杆８５１の上端に操作部８５２が設けてある。さらに、ロック機構８３０には、動作杆８５１に連係する停止カム８３２と、この停止カム８３２と前記連動カム８３１とを連係させる作動カム８３３とが設けてある。
【００３９】
一方、動作杆８５１には、玉貸機本体２００に設けた係合片２６０に係合可能な係合部８５３が形成してある。すなわち、この係合部８５３が、玉貸機本体２００の背面から突出させた係合片２６０に係脱して、玉貸機本体２００を保持または解除することになる。
【００４０】
そして、連動カム８３１と、停止カム８３２と、作動カム８３３と、動作杆８５１と、係合片、および係合部８５３は、互いに協動して、前記第１状態、第２状態および第３状態に変位する。なお、連動カム８３１、停止カム８３２、作動カム８３３、動作杆８５１は、図示していないバネ等の付勢手段によって、所定の位置となるように付勢してある。
【００４１】
さらに、前記動作杆８５１には、中継基板８２０の給電回路を導通および遮断させるスイッチ８６０が臨ませてあり、このスイッチ８６０を、動作杆８５１が「オン」、「オフ」することによって、中継基板８２０への給電を行なったり、停止したりする。
【００４２】
ここで、玉貸機本体２００の着脱方法を簡単に説明する。先ず、図１２は、図示を省略した玉貸機本体２００を装着した状態における中継基板ユニット８００を示している。この装着状態では、動作杆８５１が上昇して、動作杆８５１の係合部８５３と玉貸機本体２００の係合片２６０とが係合している。また、スイッチ８６０の作動レバー８６１の先端受圧部８６１ａが、動作杆８５１の下端に形成した切欠部８５４に嵌入し、スイッチ８６０がオン状態になる。このとき、中継基板８２０へ給電可能となっている。すなわち、ロック機構８３０は、第１状態にある。
【００４３】
次に、図１３に示すように、操作手段８５０である動作杆８５１の上端に設けた操作部８５２を、下方に押圧して動作杆８５１を下方へ摺動させると、動作杆８５１の係合部８５３と玉貸機本体２００の係合片２６０との係合が解除される。また、スイッチ８６０の作動レバー８６１が下降した動作杆８５１の側面によって押圧されるため、スイッチ８６０がオフ状態になり、中継基板８２０への給電が停止される。すなわち、ロック機構８３０は、第２状態にある。
【００４４】
そして、図１４に示すように、玉貸機本体２００を取り外すと、連動カム８３１に対する玉貸機本体２００による押圧が解除されるため、連動カム８３１が戻り傾動し、停止カム８３２および作動カム８３３を連係するが、動作杆８５１は依然として下降状態を保持している。このため、スイッチ８６０は、作動レバー８６１の先端受圧部８６１ａが、動作杆８５１の切欠部上限８５５に当接して、オフ状態を保持している。したがって、中継基板８２０への給電は停止された状態にある。すなわち、ロック機構８３０は、第３状態にある。
【００４５】
一方、玉貸機本体２００の取り付けは、中継基板８２０への給電が停止された状態、すなわち第２状態で行なう。このため、中継基板８２０が電気的に破損したり、データが消失する虞れがない。
【００４６】
なお、中継基板ユニット８００には、玉貸機本体２００に向けて突出するガイドピン８７０および係止部８８０が設けてあり、玉貸機本体２００には、前記ガイドピン８７０および係止部８８０に対応する、受孔および係止受部が設けてある。このため、装着時に、玉貸機本体２００を所定の位置に案内するとともに、装着状態を確実に保持することができる。
【００４７】
また、この実施例における中継基板ユニット８００では、スイッチ８６０がオフになると、給電を停止させるばかりではなく、台番号等のデータのバックアップを開始するように設定してある。さらに、この実施例では、操作手段８５０を手動によって作動させているが、ソレノイド等の電気的駆動源を利用するようにしてもよい。
【００４８】
このような中継基板ユニット８００を備える実施例によれば、玉貸機本体２００を取付枠３００に着脱する際に、中継基板８２０の給電を停止しているので、中継基板８２０が破損したり、データが消失することがない。また、種々の配線の接続を、一つのコネクタ８２１に集約しているので、接続作業が容易になるばかりではなく、誤配線の防止にも役立つ。さらに、不正な基板の追加もきわめて困難になるので、不正遊技に対する安全面でも有効である。
【００４９】
図１５ないし図１７は、他の実施例を示している。すなわち、図１５は、他の実施例による取付枠３００の斜視図、図１６（ａ）は同上の平面図、図１６（ｂ）は左側面図、図１６（ｃ）は正面図、図１６（ｄ）は右側面図、図１６（ｅ）は底面図である。また、図１７は、この実施例における取付枠３００への玉貸機本体２００および電源ユニット４００または計数機ユニット５００の取り付けに関する説明図である。
【００５０】
この実施例は、投入された紙幣を貯留可能に構成した玉貸機本体２００に対応するように形成したものである。すなわち、この実施例では、玉貸機本体２００の後方へ突出する紙幣貯留部２９０を収める膨出部３９０を、取付枠３００の上方部分に形成している点で、前記した実施例と相違している。そこで、前記した実施例と同じ機能を有する部材には、同一符号を付して、個々の説明を省略する。
【００５１】
この実施例によれば、玉貸機本体２００に投入された紙幣を貯留することができる。また、玉貸機本体２００を取付枠３００に着脱する際に、中継基板８２０の給電を停止しているので、中継基板８２０が破損したり、データを消失することがない。さらに、取付枠３００には、玉貸機本体２００の下方のスペースに、電源ユニット４００または計数機ユニット５００のいずれか一方を取り付けることができる。したがって、本発明の玉貸機を遊技機島に設置しておけば、計数機能のない既存の玉貸機として使用することができるとともに、計数機能が必要となった場合には、電源ユニット４００を例えば取付枠３００の背面側に配置し、電源ユニット４００が以前あった場所に計数機ユニット５００を設置することで、計数機能を容易に追加することができる。ゆえに、遊技機島の大幅な改修が不要となる。なお、電源ユニット４００は取付枠３００の背面側ばかりではなく、遊技機島の他の部位に配置してもよい。
【００５２】
以上、本発明を図示の実施例について説明したが、本発明は前記した実施例に限定されるものではなく、特許請求の範囲に記載した構成を変更しない限り適宜に実施できる。例えば、遊技台としてパチンコ台について説明したが、他の遊技台に適用することも可能である。また、上述のように本実施例ではパチンコ玉を貸し出す玉貸機について説明したが、例えばスロットマシン等の遊技機に用いるメダルを貸し出すメダル貸機に適用することも可能である。
【符号の説明】
【００５３】
１００  遊技台
１１０  上皿
２００  玉貸機本体
２１１  状態表示ランプ
２１２  残高・貯玉度数表示部
２１３  紙幣挿入口
２１４  切替スイッチ
２１５  持玉表示部
２１６  払出スイッチ
２１７  テンキー
２１８  返却ランプ
２１９  タグタッチ部
２２１  側板
２２２  係止爪
２３１  紙幣識別機
２３２  玉切りユニット
２３３  貸出しノズル
２３４  コアモジュール
２３５  制御基板
２３６  コイン・カードユニット
２３７  コイン挿入口
２３８  コイン返却口
２３９  会員カード挿入口
２５０  レール受部
２６０  係合片
２９０  紙幣貯留部
３００  取付枠
３１０  支柱部
３１１  背板
３１２  側片
３２０  上止着部
３３０  下止着部
３４１  開口部
３４２  ねじ孔
３４３  取付片
３４４  取付孔
３９０  膨出部
４００  電源ユニット
４１０  ケース
４２０  レール部
４２１  レール片
４３０  化粧部材
５００  計数機ユニット
５１０  ケース
５２０  レール部
５２１  レール片
６００  玉樋部材
７００  玉箱
８００  中継基板ユニット
８１０  ケース体
８２０  中継基板
８２１  コネクタ
８３０  ロック機構
８３１  連動カム
８３２  停止カム
８３３  作動カム
８４２  電源接続コネクタ
８４３  シリアルインターフェイス接続コネクタ
８４４  ＬＡＮ接続コネクタ
８４５  計数機接続コネクタ
８４６  紙幣搬送装置接続コネクタ
８４７  ホールコンピュータ接続コネクタ
８５０  操作手段
８５１  動作杆
８５２  操作部
８５３  係合部
８５４  切欠部
８５５  切欠部上限
８６０  スイッチ
８６１  作動レバー
８６１ａ  先端受圧部
８７０  ガイドピン
８８０  係止部
【図１】
0005458361.tif 000002
【図２】
0005458361.tif 000003
【図３】
0005458361.tif 000004
【図４】
0005458361.tif 000005
【図５】
0005458361.tif 000006
【図６】
0005458361.tif 000007
【図７】
0005458361.tif 000008
【図８】
0005458361.tif 000009
【図９】
0005458361.tif 000010
【図１０】
0005458361.tif 000011
【図１１】
0005458361.tif 000012
【図１２】
0005458361.tif 000013
【図１３】
0005458361.tif 000014
【図１４】
0005458361.tif 000015
【図１５】
0005458361.tif 000016
【図１６】
0005458361.tif 000017
【図１７】
0005458361.tif 000018